(57)【要約】  【課題】掘削機器の尖鋭な先端による衝撃に対する耐衝撃性を備え、また、管路表示色を明瞭に示すことのできる防護シートを提供する。  【解決手段】地中に埋設される合成樹脂製地中埋設管路の防護シート(２)である。この防護シート(２)は合成樹脂繊維製の基布(５)と、合成樹脂製綿繊維層(６)とを有し、ニードリング加工により一体化してある。また、合成樹脂繊維製の基布(５)の少なくとも一面に管路表示色の合成樹脂製綿繊維層(６)を配置し、合成樹脂繊維製の基布(５)と合成樹脂製綿繊維層(６)とをニードリング加工により一体化し、管路表示色を明瞭に示すことが可能である。【選択図】    図２
2018179056.tif 000002
【特許請求の範囲】
【請求項１】
地中に埋設される合成樹脂製地中管路へのツルハシや油圧ショベル等に起因する損傷から管路を防護する防護シート(２)であって、合成樹脂繊維製の基布(５)と、合成樹脂製綿繊維層(６)とを有し、合成樹脂繊維製の基布(５)の少なくとも一面に合成樹脂製綿繊維層(６)を配置し、合成樹脂繊維製の基布(５)と合成樹脂製綿繊維層(６)とをニードリング加工により一体化してあることを特徴とする地中埋設管路の防護シート。
【請求項２】
合成樹脂製綿繊維層(６)を管路側に配置するとともに、地表側に合成樹脂繊維製の基布(５)を位置させ、合成樹脂製綿繊維層(６)を管路表示色の合成樹脂製綿繊維で形成するとともに、合成樹脂繊維製の基布(５)を白色を含む淡色の基布(５)で構成してある請求項１に記載した地中埋設管路の防護シート。
【請求項３】
基布(５)の両面に合成樹脂製綿繊維層(６a)(６b)を配置し、基布(５)の地表側に配置した合成樹脂製綿繊維層(６b)を管路表示色の合成樹脂製綿繊維で形成してある請求項１に記載した地中埋設管路の防護シート。
【発明の詳細な説明】
【技術分野】
【０００１】
本発明は、地中に埋設されるガス管や水道管等の合成樹脂製流体輸送管あるいは、電力線や通信線を内蔵した合成樹脂電線管の埋設表示を兼ねる防護シートに関し、特に、流体輸送管や電力管として使用がされている合成樹脂製地中埋設管がツルハシや油圧ショベル等の掘削機器を用いての掘削作業時に損傷するのを防止する防護シートに関する。
【背景技術】
【０００２】
流体輸送管、例えば上下水道管やガス管として近年、合成樹脂管を使用することが普及し、なかでも、ポリエチレン管は可撓性を有するとともに、軽量で施工が容易であり、地中に埋設しても腐食しない利点を有することから、その普及は目覚ましいものがある。
【０００３】
ところが、このポリエチレン管は衝撃強度に弱いという難点があり、埋設後に行われる工事、例えば、上下水道管工事や、電線管の工事の際に掘削機器で地面を掘削する際に、掘削機の爪やツルハシが既に埋設されているポリエチレン管に当たって、ポリエチレン管が傷つけられることがある。このため、従来、流体輸送管や電線管等を埋設する際に、土中での腐食劣化が少ない合成樹脂製の防護シートを巻付けて流体輸送管の耐衝撃性を高めるようにすることが行われている。
【０００４】
このような合成樹脂製の防護シートとして、延伸及び解繊して得られたポリプロピレンからなる解繊糸を織成又は編成した可撓性を有するシートにクッション材を積層したシート材や(特許文献１)、合成樹脂製繊維やテープを織り込んだ織布に合成樹脂綿(フェルト)または不織布を植え付けたもの、あるいは穴開きシートに合成樹脂綿(フェルト)又は不織布、織布を配置して一体化したもの(特許文献２)、繊維層と弾性体からなるシートを地中埋設管の周囲に配置して埋設管を保護するようにしたもの(特許文献３)が提案されている。
【先行技術文献】
【特許文献】
【０００５】
【特許文献１】特開２００７−１３２３７０号公報
【特許文献２】特開平１０−７３１９８号公報
【特許文献３】特開２０００−４６２８４号公報
【発明の概要】
【発明が解決しようとする課題】
【０００６】
掘削作業時に掘削機器で地中埋設管が損傷することを防止する従来の防護シートでは、衝撃に対する強度が十分ではなく、油圧ショベルやツルハシが防護シート貫通することから、何層にも巻回する必要があり、作業性・経済性に劣るという問題があった。
【０００７】
本発明は、このような点に着目してなされたもので、掘削機器の尖鋭な先端による衝撃に対する耐衝撃性を備え、作業性・経済性に優れた防護シートを提供することを目的とする。
【課題を解決するための手段】
【０００８】
前述の目的を達成するために、請求項１に記載した本発明では、地中に埋設される合成樹脂製流体輸送管あるいは合成樹脂製電線管の防護シートであって、合成樹脂繊維製の基布と、合成樹脂製綿繊維層とを有し、合成樹脂繊維製の基布の少なくとも一面に合成樹脂製綿繊維層を配置し、合成樹脂繊維製の基布と合成樹脂製綿繊維層とをニードリング加工により一体化してあることを特徴としている。
【０００９】
請求項２に記載した本発明は、請求項１に開示した構成に加えて、合成樹脂製綿繊維層を管路側に配置するとともに、地表側に合成樹脂繊維製の基布を位置させ、合成樹脂製綿繊維層を管路表示色の合成樹脂製綿繊維で形成するとともに、合成樹脂繊維製の基布を白色を含む淡色の基布で構成し、ニードリング加工することにより、管路表示色である合成樹脂製綿繊維を基布の表層まで引き出し、管路表示色が外面に表示されるように構成したことを特徴としている。
【００１０】
請求項３に記載した本発明は、請求項１に開示した構成に加えて、合成樹脂繊維製基布の両面に合成樹脂製綿繊維層を配置し、合成樹脂繊維製基布の地表側に配置した合成樹脂製綿繊維層を管路表示色の合成樹脂製綿繊維で形成したことを特徴としている。
【発明の効果】
【００１１】
本発明では、合成樹脂繊維を織成あるいは編成することで形成された合成樹脂繊維製の基布と、合成樹脂製の綿繊維層(フエルト層)とを有し、合成樹脂繊維製の基布の少なくとも一面に合成樹脂製綿繊維層を配置し、合成樹脂繊維製の基布と合成樹脂製綿繊維層とをニードリング加工することで合成樹脂製綿繊維層を構成している単位繊維糸が基布を貫通して基布表面に露出して基布と合成樹脂製単位繊維糸とが絡みあい、単なる積層や接着あるいは縫合で一体化するものにくらべて組織が緻密になることで、同じ目付量でも強固に一体化する。そして、シートの管路側に合成樹脂製綿繊維層を位置させることで、強靭な基布が外側に、衝撃吸収性を有する合成樹脂製綿層が埋設配管表面を保護することになるから、掘削作業時にツルハシや油圧ショベル等の掘削機器の尖鋭な先端がこの防護シートに衝突することがあっても、その衝撃力をニードリング加工により強固に一体化した合成樹脂繊維製の基布と合成樹脂製綿繊維層が吸収して、管路を有効に保護するができる。
【００１２】
また、合成樹脂製綿繊維層を構成している合成樹脂製綿繊維を管路表示色にした場合には、基布表面に管路表示色が表出することになるから、シートの路面側に管路表示色が表示されることにり、掘削作業時に既設配管があること及びどのような種類の埋設管であるかを作業者が容易に把握することができ不測の事故を回避することができる。
【図面の簡単な説明】
【００１３】
【図１】本発明の一実施形態を示す取り出し斜視図である。
【図２】防護シートの一実施形態を示す断面図である。
【図３】埋設状態での断面図である。
【図４】防護シートの別の実施形態を示す断面図である。
【図５】別の埋設状態を示す断面図である。
【発明を実施するための形態】
【００１４】
本発明に係る地中埋設管路の防護シートの一実施形態を図面に基づき説明する。
図１は、地中埋設管(１)を示す斜視図である。この地中埋設管(１)は、上下水道管・ガス管等の合成樹脂製流体輸送管や、内部に電力線あるいは通信線を内装した合成樹脂製電線管として用いられている合成樹脂製管路(３)の外周に防護シート(２)を巻回し、その外周に結束バンドや結束テープなどの保持具(４)を適当間隔おきに結束することで合成樹脂製管路(３)に防護シート(２)を一体となるように留めつけている。
【００１５】
防護シート(２)は、図２に示すように、長期の地中埋設に耐えるポリエステル等の合成樹脂繊維で形成された基布(５)と、同じくポリエステル等の合成樹脂製綿繊維からなる層(６)とで構成されており、ポリエステル等の合成樹脂糸を平織・綾織・繻子織等に織成した織布あるいは編成した編地からなる基布(５)の一面にポリエステル等の合成樹脂製綿繊維の層(フェルト層)(６)を沿わせて配置し、基布(５)側からニードリング加工することで、フェルト層(６)を構成している合成樹脂製綿繊維を基布(５)の表面まで引き出し、基布繊維と基布(５)の隙間に合成樹脂製綿繊維がしっかりと絡みついて一体化させてある。
【００１６】
この場合、フェルト層(６)を構成している合成樹脂製綿繊維を管路表示色のもので構成するとともに、基布(５)を構成している基布繊維に白色ないし淡色のものを使用することで、基布(５)の表面に管路表示色が表出することになる。このように構成することで基布(５)の表面にフェルト層(６)を構成している合成樹脂製綿繊維の色合いを確りと表出させることができる。
【００１７】
図３に示す合成樹脂製管路(３)の埋設時には、掘削溝に配管された合成樹脂製管路(３)の外周面側にフェルト層(６)が、基布(５)が外側にそれぞれ位置する状態で、フェルト層(６)を合成樹脂製管路(３)の外周面に当接させて巻回し、基布(５)の外側に結束バンドや結束テープなどの保持具(４)を適当な間隔置きに位置させてしっかりと固定する。その後、合成樹脂製管路(３)の外周を防護シート(２)で被覆した埋設地中管(１)が敷設されている掘削溝を埋め戻す。
【００１８】
図４は、防護シート(２)の別の実施形態を示しており、この実施形態では、ポリエステル等の合成樹脂繊維で形成された基布(５)を同じくポリエステル等の合成樹脂製綿繊維で構成されている綿層(フエルト層)(６a)(６b)で挟み込むようにしている。この場合、基布(５)の一側に配置するフェルト層(６a)と他側に配置するフェルト層(６b)とでは、その厚みを変えてある。
【００１９】
厚いフェルト層(６a)と基布(５)とを重ね合わせて状態で、基布(５)側からニードリング加工することにより、厚いフェルト層(６a)を構成している合成樹脂製綿繊維と基布(５)の基布繊維とを絡み合わせて、厚いフェルト層(６a)と基布(５)とを一体化させ、しかるのち、基布(５)の露出面に厚味の薄い管路表示色としてのフェルト層(６b)を沿わせて配置し、薄いフェルト層(６b)側からニードリング加工することにより、厚いフェルト層(６a)・基布(５)・薄いフェルト層(６b)を一体化させる。このように形成した防護シート(２)を使用する場合には、厚いフェルト層(６a)が合成樹脂製管路(３)の外周面側に、管路表示色としての薄いフェルト層(６b)が地表側に位置する状態で合成樹脂製管路(３)に巻回固定して地中埋設管(１)を形成することになる。
【００２０】
この実施態様では、基布(５)と厚いフェルト層(６a)とをニードリング加工して一体化 させたのち、基布(５)の露出面に薄いフェルト層(６b)配置してニードリング加工する二段階のニードリングを加工を施しているが、これは厚いフェルト層(６a)・基布(５)・薄いフェルト層(６b)を一挙にニードリング加工するようにしてもよい。
【００２１】
なお、この基布を２つの綿繊維層で挟持する実施形態では、厚いフェルト層(６a)及び基布(５)の色目には特別な制約はないが、薄いフェルト層(６b)には管路表示色の繊維を使用したフェルトで構成することが好ましい。このようにすることで、防護シート(２)の一面が管路表示色で構成されることになる。管路表示色で構成した薄いフェルト層(６b)は、安価なグレー系等のフェルトに比して高価ではあるが、少量で管路表示色を明瞭に表示することが出来る。
【００２２】
ここで、管路表示色とは、地域や埋設管敷設企業体での指定色を指し、電力ケーブルではオレンジ系、通信ケーブルでは赤系、水道ではブルー系、下水道では茶系、ガスでは緑系を指定していることが多い。
【００２３】
図５は、防護シート(２)を使用しての別の埋設形態を示しており、掘削溝に合成樹脂製管路(３)を敷設したのち、合成樹脂製管路(３)の上面を軽く覆う程度まで土砂を投入し、その段階で合成樹脂製本管(３)の上方に沿ってフェルト層(６)・(６a)が合成樹脂製管路(３)側に、管路表示色が表出している面を地表側に位置させた状態で防護シート(２)を配設し、その上から土砂を投入して埋め戻すようにしたものである。
【００２４】
この埋設形態のように、防護シート(２)を合成樹脂製管路(３)に巻回しない場合には、合成樹脂製管路(３)の上面を軽く覆う程度まで土砂を投入し、その段階で合成樹脂製管路(３)の上方に沿って防護シート(２)を配設し、その後土砂をさらに投入して埋め戻すようにすると、復旧作業時の土砂投入による衝撃で防護シート(２)がずれ動くことが少なくなり、合成樹脂製管路(３)の埋設位置を比較的正確に表示できることになる。
【産業上の利用可能性】
【００２５】
地中に合成樹脂製流体輸送管あるいは合成樹脂製電線管を埋設するインフラ整備工事に適用することが出来る。
【符号の説明】
【００２６】
１…地中埋設管、２…防護シート、３…合成樹脂製管路、４…保持具、５…合成樹脂繊維製の基布、６・６a・６b…合成樹脂製綿繊維層(フェルト層)。
【図１】
2018179056.tif 000003
【図２】
2018179056.tif 000004
【図３】
2018179056.tif 000005
【図４】
2018179056.tif 000006
【図５】
2018179056.tif 000007